【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
始動口への入球に基づいて取得される判定用情報の当否判定を行う当否判定手段と、
前記判定用情報を複数記憶可能な判定用情報記憶手段と、
前記当否判定の結果に基づいて複数の図柄の中からいずれかの図柄を決定する図柄決定手段と、
前記当否判定手段よりも前に前記判定用情報の判定を行う先読み判定手段と、
前記当否判定の結果に基づいて変動演出を行う演出表示手段と、
前記先読み判定手段の判定に基づいて、先読み演出を行う先読み演出手段と、を備え、
前記図柄に、少なくとも前記当否判定にてハズレと判定された際に選択されるハズレ図柄を複数備え、
前記ハズレ図柄は、少なくともリーチ演出を行わない変動演出が指定されたハズレ図柄と、リーチ演出を行う変動演出が指定されたハズレ図柄を備えており、
前記先読み判定手段は、少なくとも前記図柄決定手段よりも前に選択される図柄を判別できるものであり、
前記先読み演出手段は、前記リーチ演出が行われる可能性を複数の期待度で示す演出を備え、前記先読み判定手段にて判別した図柄に基づいて前記期待度を決定する、
ことを特徴とする遊技機。
【手続補正２】
【補正対象書類名】明細書
【補正対象項目名】０００６
【補正方法】変更
【補正の内容】
【０００６】
本発明の遊技機は、上述の主目的を達成するために以下の手段を採った。
本発明の遊技機は、
始動口への入球に基づいて取得される判定用情報の当否判定を行う当否判定手段と、
前記判定用情報を複数記憶可能な判定用情報記憶手段と、
前記当否判定の結果に基づいて複数の図柄の中からいずれかの図柄を決定する図柄決定手段と、
前記当否判定手段よりも前に前記判定用情報の判定を行う先読み判定手段と、
前記当否判定の結果に基づいて変動演出を行う演出表示手段と、
前記先読み判定手段の判定に基づいて、先読み演出を行う先読み演出手段と、を備え、
前記図柄に、少なくとも前記当否判定にてハズレと判定された際に選択されるハズレ図柄を複数備え、
前記ハズレ図柄は、少なくともリーチ演出を行わない変動演出が指定されたハズレ図柄と、リーチ演出を行う変動演出が指定されたハズレ図柄を備えており、
前記先読み判定手段は、少なくとも前記図柄決定手段よりも前に選択される図柄を判別できるものであり、
前記先読み演出手段は、前記リーチ演出が行われる可能性を複数の期待度で示す演出を備え、前記先読み判定手段にて判別した図柄に基づいて前記期待度を決定する、
ことを要旨とする。
【手続補正３】
【補正対象書類名】明細書
【補正対象項目名】０００７
【補正方法】変更
【補正の内容】
【０００７】
ここで参考として記載する参考発明の遊技機は、
始動口への遊技球の入球に基づいて変動表示される図柄が所定の当り図柄で停止表示されたときに当り遊技を実行する遊技機であって、
前記始動口への遊技球の入球に基づいて取得される判定用情報を複数記憶可能な判定用
情報記憶手段と、
前記判定用情報に基づいて当否判定を行なう当否判定手段と、
前記当否判定の結果に基づいて予め定められた複数の図柄の中からいずれかを停止図柄として決定する図柄決定手段と、
前記図柄を変動表示させ、前記図柄決定手段により決定された停止図柄で停止表示させる図柄表示手段と、
予め定められた複数の遊技状態のいずれかを設定する遊技状態設定手段と、
前記複数の図柄のそれぞれに遊技状態に応じた変動カテゴリが割り付けられた複数種の変動カテゴリテーブルを記憶する変動カテゴリテーブル記憶手段と、
前記変動カテゴリテーブル記憶手段に記憶された複数種の変動カテゴリテーブルの中から前記遊技状態設定手段により設定された遊技状態に対応する変動カテゴリテーブルを選択する変動カテゴリテーブル選択手段と、
前記停止図柄決定手段により決定された停止図柄と前記変動カテゴリテーブル選択手段により選択された変動カテゴリテーブルとを用いて導出される変動カテゴリに基づいて変動演出パターンを決定する変動演出パターン決定手段と、
前記図柄の変動表示に伴い、前記変動演出パターン決定手段により決定された変動演出パターンに基づいて図柄変動演出を実行する図柄変動演出実行手段と、
前記当否判定手段の当否判定に先だって、前記停止図柄を判定する先読み判定手段と、
前記先読み判定手段で判定された停止図柄に基づいて先読み演出パターンを決定する先読み演出パターン決定手段と、
前記先読み演出パターン決定手段により決定された先読み演出パターンに基づいて前記図柄表示手段による図柄の複数の変動表示に跨がる先読み演出を実行可能な先読み演出実行手段と、
を備え、
前記変動カテゴリとして、前記図柄表示手段による停止図柄が前記当り図柄となる当り期待度がそれぞれ異なる複数種の変動カテゴリを有し、
前記複数種の変動カテゴリテーブルは、前記複数の図柄のうち少なくとも特定図柄に対しては、それぞれ異なる変動カテゴリが割り付けられており、
前記先読み演出パターンとして、複数種の変動カテゴリと前記当り期待度が対応する複数種の先読み演出パターンを有し、
前記先読み演出パターン決定手段は、前記先読み判定手段により判定された停止図柄が前記特定図柄である場合には、前記複数種の変動カテゴリテーブルのそれぞれにおいて遊技状態に応じて前記特定図柄に対して割り付けられた変動カテゴリのうち前記当り期待度が低い方の変動カテゴリに対応する当り期待度を上限として前記先読み演出パターンを決定する、
ことを要旨とする。
【手続補正４】
【補正対象書類名】明細書
【補正対象項目名】０００９
【補正方法】変更
【補正の内容】
【０００９】
この参考発明の遊技機によれば、図柄の複数の変動表示に跨がって行なわれる先読み演出の途中で遊技状態が変化しても、先読み演出の内容と、当該先読み演出に係る保留記憶に基づいて行なわれる図柄変動演出の内容とに齟齬が生じないようにすることができる。この結果、遊技状態の変化によって先読み演出が結果的に過大な当り期待度となるのを抑制して、遊技者による遊技興趣が減退するのを抑制することができる。
【手続補正５】
【補正対象書類名】明細書
【補正対象項目名】００１０
【補正方法】変更
【補正の内容】
【００１０】
こうした参考発明の遊技機において、前記先読み演出パターンとして、前記当り期待度が異なる複数種の先読み演出用図柄を有し、前記先読み演出として、前記複数種の先読み演出用図柄のうちいずれかを表示した後、該表示した先読み演出用図柄よりも前記当り期待度が高い先読み演出用図柄に変更する変更演出を有するものとしてもよい。
【手続補正６】
【補正対象書類名】明細書
【補正対象項目名】００１２
【補正方法】変更
【補正の内容】
【００１２】
また、参考発明の遊技機において、前記先読み判定手段は、外れ図柄を判定するものとしてもよい。
【手続補正７】
【補正対象書類名】明細書
【補正対象項目名】００１４
【補正方法】変更
【補正の内容】
【００１４】
更に、参考発明の遊技機において、前記複数種の変動カテゴリテーブルのうち少なくとも一つは、前記複数の図柄のうち少なくとも２つの図柄間で同じ変動カテゴリが割り付けられているものとしてもよい。
【手続補正８】
【補正対象書類名】明細書
【補正対象項目名】００１６
【補正方法】変更
【補正の内容】
【００１６】
また、参考発明の遊技機において、前記複数の遊技状態として、通常状態と、前記当否判定手段により当りと判定される確率が前記通常状態よりも高い高確率状態と、を有し、前記遊技状態設定手段は、前記図柄の変動表示に基づいて前記遊技状態を変更可能であり、前記複数種の変動カテゴリテーブルとして、前記遊技状態設定手段により前記通常状態が設定されているときに前記変動演出パターン決定手段により選択される通常状態用変動カテゴリテーブルと、前記遊技状態設定手段により前記高確率状態が設定されているときに前記変動演出パターン決定手段により選択される高確率状態用変動カテゴリテーブルと、を有するものとしてもよい。
【手続補正９】
【補正対象書類名】明細書
【補正対象項目名】００１８
【補正方法】変更
【補正の内容】
【００１８】
参考発明の遊技機によれば、図柄の複数の変動表示に跨がって行なわれる先読み演出の途中で遊技状態が変化しても、先読み演出の内容と、当該先読み演出に係る保留記憶に基づいて行なわれる図柄変動演出の内容とに齟齬が生じないようにすることができる。